【手続補正書】
【提出日】平成28年11月4日(2016.11.4)
【手続補正１】
【補正対象書類名】特許請求の範囲
【補正対象項目名】全文
【補正方法】変更
【補正の内容】
【特許請求の範囲】
【請求項１】
イオンビームを加速して出射するシンクロトロンと、
前記シンクロトロンから出射された前記イオンビームを照射する照射装置と、
前記シンクロトロンを構成する機器の運転制御データに基づいて前記シンクロトロンを構成する機器を制御する制御装置とを備えた粒子線照射システムにおいて、
前記制御装置は、
前記シンクロトロンから出射されるべきイオンビームのエネルギー範囲を、前記シンクロトロンから出射されるべきエネルギー範囲に含まれるエネルギー数よりも少ない所定のエネルギー数以下となるように複数のエネルギー範囲に分割し、
前記運転制御データは、前記複数のエネルギー範囲のそれぞれに対応し、かつ対応するエネルギー範囲に含まれるエネルギーのそれぞれに対応した出射制御データを有する複数の運転パターンデータと、前記複数の運転パターンデータに含まれる出射制御データのそれぞれに対応した複数の減速制御データとを有し、
前記複数の運転パターンデータの少なくとも１つが、１つの初期加速データと、複数の出射制御データと、これら複数の出射制御データ間を接続する少なくとも１つのエネルギー変更制御データとを有することを特徴とする粒子線照射システム。
【請求項２】
請求項１に記載の粒子線照射システムにおいて、
前記複数の運転パターンデータは、対応するエネルギー範囲に含まれる出射制御データのそれぞれに対応した減速制御データを有することを特徴とする粒子線照射システム。
【請求項３】
請求項１または２に記載の粒子線照射システムにおいて、
前記制御装置は、
分割後のエネルギー範囲が互いに重複しないように前記イオンビームのエネルギー範囲を分割したことを特徴とする粒子線照射システム。
【請求項４】
請求項１または２に記載の粒子線照射システムにおいて、
前記制御装置は、
分割後のエネルギー範囲が互いに重複するように前記イオンビームのエネルギー範囲を分割したことを特徴とする粒子線照射システム。
【請求項５】
請求項４に記載の粒子線照射システムにおいて、
前記複数の運転パターンデータは、対応するエネルギー範囲に含まれる複数の出射制御データのそれぞれに対応した初期加速制御データを有することを特徴とする粒子線照射システム。
【請求項６】
請求項１〜５のいずれか１項に記載の粒子線照射システムにおいて、
前記複数のエネルギー範囲に含まれるエネルギー数が、いずれも前記シンクロトロンが１回の運転周期で出射可能な最大のエネルギー数以下であることを特徴とする粒子線照射システム。
【請求項７】
請求項１〜６のいずれか１項に記載の粒子線照射システムにおいて、
前記制御装置は、
前記シンクロトロンを構成する機器の制御タイミングを管理する複数の制御タイミング信号を生成し、これらの制御タイミング信号に基づき、前記複数の運転パターンデータまたは前記複数の減速制御データを切り換えかつ前記複数の運転パターンデータの１つに基づいて前記シンクロトロンを構成する機器の運転制御中に前記複数の運転パターンデータのそれぞれを構成する制御データを切り換えることを特徴とする粒子線照射システム。
【請求項８】
請求項１〜７のいずれか１項に記載の粒子線照射システムにおいて、
前記制御装置は、
前記複数の運転パターンデータの１つに基づいて前記シンクロトロンを構成する機器の運転制御中に前記運転パターンデータに含まれる全ての出射制御データを更新せずに減速制御に遷移し、運転周期の開始に戻り、再び初期加速制御を開始する場合、未更新の出射制御データのエネルギーに対応した出射制御データが最も早く現れる運転パターンデータを選択し、初期加速制御に遷移することを特徴とする粒子線照射システム。
【請求項９】
請求項１〜８のいずれか１項に記載の粒子線照射システムにおいて、
前記制御装置は、
前記複数の出射制御データを含む運転パターンデータに基づいて前記シンクロトロンを構成する機器の運転制御中に前記運転パターンデータに含まれる全ての出射制御データを更新せずに減速制御に遷移する場合、現在更新している出射制御データを更新した後に、この出射制御データに対応した減速制御データを選択し、減速制御に遷移することを特徴とする粒子線照射システム。
【請求項１０】
請求項１〜９のいずれか１項に記載の粒子線照射システムにおいて、
前記制御装置は、
あるエネルギーのイオンビームの出射制御を終えた後、次の照射エネルギーが存在しかつ運転制御中の運転パターンデータに前記次の照射エネルギーに対応する出射制御データが含まれる場合は、前記次の照射エネルギーに対応する出射制御データに更新することを特徴とする粒子線照射システム。
【請求項１１】
請求項１０に記載の粒子線照射システムにおいて、
前記制御装置は、
あるエネルギーのイオンビームの出射制御を終えた後、前記シンクロトロン内を周回するイオンビームの蓄積電荷量が、次の照射エネルギーにおける照射に十分である場合は前記次の照射エネルギーに対応する出射制御データに更新し、不足している場合は減速制御に遷移することを特徴とする粒子線照射システム。
【請求項１２】
イオンビームを加速して出射するシンクロトロンと、
前記シンクロトロンから出射された前記イオンビームを照射する照射装置と
を備えた粒子線照射システムの運転方法であって、
前記シンクロトロンから出射されるべきイオンビームのエネルギー範囲を、前記シンクロトロンから出射されるべきエネルギー範囲に含まれるエネルギー数よりも少ない所定のエネルギー数以下となるように複数のエネルギー範囲に分割し、
前記シンクロトロンを構成する機器の運転制御データは、前記複数のエネルギー範囲のそれぞれに対応し、かつ対応するエネルギー範囲に含まれるエネルギーのそれぞれに対応した出射制御データを有する複数の運転パターンデータと、前記複数の運転パターンデータに含まれる出射制御データのそれぞれに対応した複数の減速制御データとを有し、
前記複数の運転パターンデータの少なくとも１つが、１つの初期加速データと、複数の出射制御データと、これら複数の出射制御データ間を接続する少なくとも１つのエネルギー変更制御データとを有し、
前記運転制御データに基づいて前記シンクロトロンを構成する機器を制御することを特徴とする粒子線照射システムの運転方法 。
【手続補正２】
【補正対象書類名】明細書
【補正対象項目名】００１３
【補正方法】変更
【補正の内容】
【００１３】
本発明は、上記目的を達成するために、イオンビームを加速して出射するシンクロトロンと、前記シンクロトロンから出射された前記イオンビームを照射する照射装置と、前記シンクロトロンを構成する機器の運転制御データに基づいて前記シンクロトロンを構成する機器を制御する制御装置とを備えた粒子線照射システムにおいて、前記制御装置は、前記シンクロトロンから出射されるべきイオンビームのエネルギー範囲を、前記シンクロトロンから出射されるべきエネルギー範囲に含まれるエネルギー数よりも少ない所定のエネルギー数以下となるように複数のエネルギー範囲に分割し、前記運転制御データは、前記複数のエネルギー範囲のそれぞれに対応し、かつ対応するエネルギー範囲に含まれるエネルギーのそれぞれに対応した出射制御データを有する複数の運転パターンデータと、前記複数の運転パターンデータに含まれる出射制御データのそれぞれに対応した複数の減速制御データとを有し、前記複数の運転パターンデータの少なくとも１つが、１つの初期加速データと、複数の出射制御データと、これら複数の出射制御データ間を接続する少なくとも１つのエネルギー変更制御データとを有するものとする。